(57)【要約】【課題】  従来の小物用物品包装体は紙箱や透明樹脂箱体などで構成されている。そのために包装材のコストが割高であり、また箱や透明樹脂箱体で形を形成する型が必要であったので小ロットの場合は初期費用がかかるために、その負担が発生していた。【解決手段】  物品を用紙を折り曲げてその中に包み込み、透明の合成樹脂袋に入れることだけで安価でロットが少なくても初期費用の少ない物品包装体を提供する。【選択図】図１
2013159401.tif 000002
【特許請求の範囲】
【請求項１】
物品を包装する形態で、印刷した一枚の用紙の並行する１辺または２辺を印刷表側とは反対方向に折り返し、さらに前記折り返しごと直角方向に２辺を印刷表側とは反対方向に折り返し、直角方向に折り返した２つの折り返し片は重なっており、反折り返し側は印刷表側として商品写真やロゴ、特長等を印刷し前記用紙の折り返し内部に包装する物品を納め、透明な合成樹脂袋体に収納することを特徴とした物品包装体。
【発明の詳細な説明】
【技術分野】
【０００１】この発明は物品包装体に関するものであり、物品を簡便に包装してそのまま展示もしくは陳列することの出来る物品包装体に関するものである。
【背景技術】
【０００２】従来、小物品の包装に関しては物品を簡便に包装してそのまま展示もしくは陳列することの出来るようにするために紙製箱体や合成樹脂箱体、合成樹脂袋体などが使用されている。このような背景から物品が見える形状に適切な台紙製作した包装体（特許文献１）、透明合成樹脂板と台紙を組み合わせてなる包装体（特許文献２）、台紙のみに簡略した包装体（特許文献３）など種種の包装体が提案され実用化されている。
【先行技術文献】
【特許文献】
【０００３】
【特許文献１】特開平７−２１５３３３
【特許文献２】特開２００２−１１４２６９
【特許文献２】特開平１０−１１６０３５
【発明の概要】
【発明が解決しようとする課題】
【０００４】しかしながらこれらの包装体は物品によっては欠点を有している。例えば紙製箱体で印刷を施したものは安価の物品の場合、相対的に包装体が高価である。また合成樹脂箱体や合成樹脂と台紙の組み合わせ包装体も同様であり、台紙のみのものは引っ掛けられる物品でなければ使用できないことと、物品が裸であるため手で触られ商品としては適切でない場合もある。またシート状の物品例えばカーテンなどは安価な合成樹脂袋体で包装されているのは万一落下させたりしても壊れる心配がないが落下にて損傷するような物品には適していない。
【課題を解決するための手段】
【０００５】そこで本発明は小物品を安価で簡便に包装してそのまま展示もしくは陳列することの出来る包装体を合成樹脂袋体の中に印刷した紙を折り曲げて物品を保護して入れるだけで提供できるようにしたものである。
【発明の効果】
【０００６】本発明による物品包装体によれば安価な合成樹脂袋体と印刷した紙で構成されるので包装部材費が安価である。また紙製箱体、合成樹脂箱体の場合、製作するには型抜き型や真空成型等のための型が必要であるが、その型費も不要である。【０００７】さらに紙製箱体などと比較して包装に占める体積も小さくでき、輸送コストの削減が出来るばかりでなく合成樹脂袋体と紙だけで包装するのでリサイクルする際の分別も容易である。また印刷した紙には取扱説明も記載できるので物品を取り出した後は袋に入れたときは紙と袋だけなので厚みも薄くなり、そのまま取扱説明書を保管することもできる。
【図面の簡単な説明】
【０００８】
【図１】本発明に係る物品包装体の実施の形態を示す分解説明斜視図である。
【図２】図１に示す物品包装体の用紙印刷物の折りたたみ手順１説明斜視図である。
【図３】図１に示す物品包装体の用紙印刷物の折りたたみ手順２説明斜視図である。
【図４】図１に示す物品包装体の用紙印刷物の折りたたみ手順３説明斜視図である。
【図５】図１に示す物品包装体の用紙印刷物の折りたたみ手順４説明斜視図である。
【図６】図５に示す物品包装体の用紙印刷物を底面から見た説明斜視図である。
【図７】図１に示す物品包装体の包装完成状態の説明斜視図である。
【図８】図１に示す物品包装体を表側から見た説明斜視図である。
【発明を実施するための形態】
【０００９】本発明に係る物品包装体の実施例について添付図を参照しながら説明する。
【実施例】
【００１０】図１において１０は包装される被包装物品である。本事例の被包装物品１０は特許第４１９４１６号のドアストッパーをプラスチック成形品での商品化を例とした図である。２０は被包装物品１０を包装する用紙である。３０は展示用フック（図示せず）に掛けるための孔３４を有する透明な合成樹脂袋体である。被包装物品１０を用紙２０を折りたたみ収納し、合成樹脂袋体３０の一辺に設けられた開口部３１から挿入し粘着材が塗布された折り返し片３２を折り部３３から折り合成樹脂袋体３０に粘着させる。完成した状態を図７に示す。【００１１】被包装物品１０を用紙２０を折りたたんで収納する方法について図２、図３、図４、図５を参照しながら詳細説明をする。
２０Ｂは用紙２０を折りたたみ時、内側になる面の用紙内側である。用紙内側２０Ｂには用紙側２０Ａにスペースなど不足して使用説明が掲載できない場合は、この面へ掲載することも出来る。用紙２０の折り返し片Ａ２５を折り部Ａ２１から、折り返し片Ａ２６は折り部Ｂ２２から図２、図３に示すように折る。包装する物品の種類によっては合成樹脂袋体３０の展示用フック（図示せず）に掛けるための孔３４側に相当する折り返し片Ａ２５を折り部Ａ２１から折るのを省略してもよい。さらに図４に示すように折り返し片Ｃ２７を折り部Ｃ２３から、折り返し片Ｄ２８を折り部Ｄ２４から折る。この一連の折り部の内側に被包装物品１０を包み込む。この作業終了状態を図５に示す。このように被包装物品１０は用紙２０の各折り曲げ部分で囲まれており落下衝撃から保護することが出来る。また、用紙２０を折り曲げることにより包装体としての曲げ強度も向上する。【００１２】２９は用紙外側２０Ａで前述の折りがかかっていない面で印刷表部である。この印刷表部２９が物品包装体を展示する際の顔となる部分である。印刷表部２９を表面にした斜視図を図６に示す。折り返し片Ｃ２７、折り返し片Ｄ２８部は折り曲げた時に重なるが、重なっていない部分には注意事項や仕様などを記載することが出来る。【００１３】本事例の被包装物品１０の質量は５グラム程度の樹脂製なので用紙２０の厚みは０．１ｍｍか０．１５ｍｍ程度の一般的な紙のやや厚手程度が包装として適切である。被包装物品１０の落下からの衝撃吸収や用紙２０の折り易さから決めた厚みであって、もっと軽量のものであれば用紙２０の厚みはさらに０．０６ｍｍ程度まで薄くしても問題ない。また重量が大きくなれば用紙２０の厚みも厚くする必要がある。その際はそのままでは曲げ部分が波打ち等が発生してきれいに曲がらないので折り曲げ部を型押しすることで用紙２０の厚みは１．０ｍｍ程度まで包装することが可能である。【００１４】図５の状態の用紙２０および被包装物品１０を透明な合成樹脂袋体３０の一辺に設けられた開口部３１から挿入し粘着材を塗布した折り返し片３２を折り部３３から折り合成樹脂袋体３０に粘着させる。以上の作業後の状態を図７に示す。合成樹脂袋体３０は透明であるので印刷表部表２９は物品包装体の外部から見ることが出来る。合成樹脂袋体３０はメーカーで各種標準化しているので、その中から選択し使用することも出来る。
【産業上の利用可能性】
【００１４】小物の物品包装体は量販店などではハンガーに掛けて展示する販売する形態が多くとられている。この形態では正面に商品内容を示す写真や特徴などを現す必要があるために、箱に入れたり透明樹脂の真空成型などを使用していたので箱の抜き型や真空成型の型など初期費用が発生している。これらは購入後は廃棄するにもかかわらず案外コストが高くかかっている。本発明は量販店の販売形態に対応しているにもかかわらず印刷用紙と透明の袋だけで安価に物品包装体を提供することができる。汎用性も非常に高く商業的な観点、資源の有効活用、メーカーのコスト削減など有用であり利用価値のあるものである。
【符号の説明】
【００１５】１０  被包装物品
２０  用紙
２０Ａ  用紙外側
２０Ｂ  用紙裏側
２１  折り部Ａ
２２  折り部Ｂ
２３  折り部Ｃ
２４  折り部Ｄ
２５  折り返し片Ａ
２６  折り返し片Ｂ
２７  折り返し片Ｃ
２８  折り返し片Ｄ
２９  印刷表部
３０  合成樹脂袋体
３１  開口部
３２  折り返し片
３３  折り部
３４  孔
【図１】
2013159401.tif 000003
【図２】
2013159401.tif 000004
【図３】
2013159401.tif 000005
【図４】
2013159401.tif 000006
【図５】
2013159401.tif 000007
【図６】
2013159401.tif 000008
【図７】
2013159401.tif 000009
【図８】
2013159401.tif 000010